(57)【要約】【課題】計算機による、インクジェット印刷機のインクジェット印刷プロセスにおける、発生しているトーンバリュー変動を補整する方法を提供する。【解決手段】マルチビット網目スクリーン像は、次に、インクジェット印刷機の制御計算機に送られ、インクジェット印刷機によって印刷され、マルチビット網目スクリーン像の符号化された各２進値が、インクジェット印刷機によって作成可能なインク滴サイズに相応し、この方法は、インク滴サイズに相応しない、マルチビット網目スクリーン像の付加的な２進値が、計算機によって、変更されたインク滴サイズによって、発生しているトーンバリュー変動が補整されるべきピクセル位置で、マルチビット網目スクリーン像に挿入され、通常の印刷モードでは、この付加的な２進値は、インクジェット印刷機によって無視され、修正印刷モードでは、この付加的な２進値は、変更されたインク滴サイズに割り当てられる。【選択図】図３
2018171924.tif 000002
【特許請求の範囲】
【請求項１】
計算機（６）による、インクジェット印刷機（７）のインクジェット印刷プロセスにおける、発生しているトーンバリュー変動を補整する方法であって、前記計算機（２３）上で、前記印刷プロセスの前段階における網目スクリーン化プロセスの間、複数のトーンバリューを有する各色分解版に対して、印刷像データ（２０）から、ピクセルから成るマルチビット網目スクリーン像（２１，２２）が作成され、前記マルチビット網目スクリーン像は、次に、前記インクジェット印刷機（７）の前記制御計算機（６）に送られ、前記インクジェット印刷機（７）によって印刷され、
前記マルチビット網目スクリーン像（２１，２２）の符号化された各２進値が、前記インクジェット印刷機（７）によって作成可能なインク滴サイズに相応する方法において、
インク滴サイズに相応しない、前記マルチビット網目スクリーン像（２１）の付加的な２進値（１８）が、前記計算機（２３）によって、変更されたインク滴サイズによって、発生しているトーンバリュー変動が補整されるべきピクセル位置で、前記マルチビット網目スクリーン像（２２）に挿入され、
通常の印刷モードでは、前記付加的な２進値（１８）は、前記インクジェット印刷機（７）によって無視され、これに対して修正印刷モードでは、前記付加的な２進値（１８）は、前記変更されたインク滴サイズに割り当てられる、
方法。
【請求項２】
前記マルチビット網目スクリーン像（２１，２２）は、前記網目スクリーン化プロセスにおいて、マルチビットマスク（９，１２，１９）を使用することによって作成され、
前記マルチビットマスク（９，１２，１９）は、それぞれ相応するトーンバリューに相応し、前記付加的な２進値（１８）は、前記計算機（６）によって前記マルチビットマスク（９，１２，１９）に挿入され、これによって前記付加的な２進値（１８）が、前記網目スクリーン化プロセスにおいて前記マルチビット網目スクリーン像（２１，２２）に取り入れられる、
請求項１記載の方法。
【請求項３】
発生しているトーンバリュー変動を補整するために必要な、前記マルチビット網目スクリーン像（２１，２２）における前記付加的な２進値（１８）は、それぞれ、増大されたまたは低減されたインク滴サイズに相応する、
請求項１または２記載の方法。
【請求項４】
増大されたインク滴サイズによるトーンバリュー変動の補整時に、前記マルチビット網目スクリーン像（２１，２２）の前記ピクセル（８，１０，１１）は、自身のインク滴サイズにおいて、増大または保持だけされてよい、
請求項３記載の方法。
【請求項５】
低減されたインク滴サイズによるトーンバリュー変動の補整時に、前記マルチビット網目スクリーン像（２１，２２）の前記ピクセル（８，１０，１１）は、自身のインク滴サイズにおいて、低減または保持だけされてよい、
請求項３または４記載の方法。
【請求項６】
発生しているトーンバリュー変動は、前記インクジェット印刷機（７）内のセンサによって求められ、前記インクジェット印刷機（７）の前記制御計算機（６）に伝えられる、
請求項１から５までのいずれか１項記載の方法。
【請求項７】
発生しているトーンバリュー変動の前記補整は、前記マルチビット網目スクリーン像（２１，２２）における前記付加的な２進値（１８）によって、前記インクジェット印刷機（７）の前記制御計算機（６）における補整アルゴリズムによって実行される、
請求項１から６までのいずれか１項記載の方法。
【請求項８】
前記マルチビット網目スクリーン像（２１，２２）は、２ビット幅によって符号化されており、前記インクジェット印刷機（７）は、３つの異なるインク滴サイズを印刷することができる、
請求項１から７までのいずれか１項記載の方法。
【請求項９】
前記マルチビット網目スクリーン像（２１，２２）は、少なくとも３ビットのビット幅によって符号化されており、前記インクジェット印刷機（７）は、３つの異なるインク滴サイズを印刷することができる、
請求項１から７までのいずれか１項記載の方法。
【発明の詳細な説明】
【技術分野】
【０００１】
本発明は、インクジェット印刷プロセスにおける、発生しているトーンバリュー変動を補整する方法に関する。
【０００２】
本発明は、デジタル印刷の技術領域にある。
【背景技術】
【０００３】
印刷機は、作成されるべき印刷像を迅速に１：１で模造することはできない。したがって、存在する印刷像はいわゆる印刷前段階において、個々の色分解版に分解される。ここでこれらの色分解版は、各印刷機において使用されている印刷インクに相応する。個々の色分解版は、次に、網目スクリーン化プロセスにおいて、定められた格子に分配される。ここでこの格子の各領域に対して、当該領域においてインクの点が設定されているか否かが判断される。このためには、網目スクリーン化プロセスにおいて、印刷されるべき像の色分解版が、いわゆる網目スクリーンに再計算される。この網目スクリーンは正確に、どの箇所でこのようなインクの点が設定されているのかを表す。
【０００４】
ここでインクジェット印刷機では、各点に対して異なるインク滴サイズを使用し、これによって相応に異なるトーンバリューを作成することが可能である。相応する種々のインク滴サイズを得るために、網目スクリーンにおける点またはピクセルでの種々のインク滴サイズに対して、１ビット網目スクリーンはもはや不十分であるので、いわゆるマルチビット網目スクリーンが使用され、マルチビット網目スクリーンでは各ピクセルは網目スクリーンにおいて複数のビットを含んでいる。たとえば、２ビット網目スクリーンによって、４つの異なるインク滴サイズが得られる。
【０００５】
印刷機の動作中には、技術的な理由から、トーンバリューに変動が生じることがある。このような変動は相応に補整されなければならない。このような補整の実行には、従来技術から複数のアプローチが既知である。
【０００６】
これらのアプローチのうちの１つは、求められたトーンバリュー変動を網目スクリーン化の前に、ノズルに関連して、各色分解版の存在している相応のグレースケール像に算入することである。ここで、低減されたトーンバリューが定められた、印刷像の箇所では、相応に高いグレースケール値が使用され、動作中に高いトーンバリューが定められた箇所では、相応に低減されたグレー値が使用される。この手法は、修正が印刷ノズルに関連して行われるので、網目スクリーン像の位置が、インクジェットヘッドの印刷ノズルに関して変更されてはいけない、という欠点を有している。それにもかかわらず、たとえば印刷像の見当位置調整を介してこれが行われる場合には、印刷ノズルに正確な、網目スクリーン像の割り当てを行うことはもはやできない。印刷像はこの場合には相応に新しく網目スクリーン化されなくてはならず、これは特に、多くの異なる印刷像を有する可変のデータの場合には、見当修正時に、前段階計算機における長い計算時間を生じさせてしまう。
【０００７】
別のアプローチは、トーンバリュー変動が発生した場合に、印刷中に（ｏｎ  ｔｈｅ  ｆｌｙ）、網目スクリーン像の操作によって印刷機において補整を行うことである。この操作はここで、トーンバリュー変動が発生している箇所で使用されているインク滴サイズを変えることによって行われる。網目スクリーン像のこの操作に続いて、ここでは新たなピクセルが設定され、既存のピクセルはインク滴サイズが変えられるまたは消去される。しかし、網目スクリーン像の後から行われるこの修正は問題を有している。なぜならこのようにして、元来、網目スクリーン化が終了した印刷像が変えられてしまうからである。さらに、既に存在している網目スクリーン像における変更が印刷機の制御計算機を介して行われ、この印刷機の制御計算機は、どのようにしてまたはどのような条件下で網目スクリーンが作成されたのかを知らないので、網目スクリーンでの整合は偶発的に行われる。このような偶発的な整合によって、付加的なアーチファクトが生じてしまうことがあり、このアーチファクトによって、印刷像は相応に悪質化する。なぜなら、変更されたピクセルによって、すなわち変更されたインク滴サイズによって、ほぼ新しい網目スクリーン像が生じてしまい、この新しい網目スクリーン像がここで、オリジナルの、既に作成されている網目スクリーン像の上に重なって位置するからである。ここで目に見える構造体、すなわちアーチファクトが生じる。ここでこのアーチファクトによって、印刷像は相応に悪質化する。
【発明の概要】
【発明が解決しようとする課題】
【０００８】
したがって本発明の課題は、網目スクリーン像の再計算を必要とせず、かつアーチファクト形成をできるだけ回避する、インクジェット印刷プロセスにおける、発生しているトーンバリュー変動を効率的に補整する方法を見出すことである。
【課題を解決するための手段】
【０００９】
上述の課題は、計算機による、インクジェット印刷機のインクジェット印刷プロセスにおける、発生しているトーンバリュー変動を補整する方法によって解決される。ここでは計算機上で、印刷プロセスの前段階における網目スクリーン化プロセスの間、複数のトーンバリューを有する各色分解版に対して、印刷像データから、ピクセルから成るマルチビット網目スクリーン像が作成される。これは次に、インクジェット印刷機の制御計算機に送られ、インクジェット印刷機によって印刷される。ここでマルチビット網目スクリーン像の符号化された各２進値が、インクジェット印刷機によって作成可能なインク滴サイズに相応し、この方法は次の特徴を有する。すなわち、インク滴サイズに相応しない、マルチビット網目スクリーン像の付加的な２進値が、計算機によって、変更されたインク滴サイズによって、発生しているトーンバリュー変動が補整されるべきピクセル位置で、マルチビット網目スクリーン像に挿入され、通常の印刷モードでは、付加的なこれらの２進値はインクジェット印刷機において無視され、これに対して修正印刷モードでは、付加的なこれらの２進値が、変更されたインク滴サイズに割り当てられる。マルチビット網目スクリーンの使用によって、印刷機によって表すことが可能なインク滴サイズに割り当てることができないビット値が生じる。これまでの従来技術では、これらの相応するビット値は無視されてきた。ここで本発明の方法の中心となる部分は、前段階の計算機のラスタープロセッサから印刷機の制御計算機に付加的な情報を伝送するために、今日まで使用されてこなかったこれらのビット値を使用する、ということである。このような情報は主に、アーチファクトを生じさせずに、印刷機の制御計算機によって、発生しているトーンバリュー変動を補整するために、生じているマルチビット網目スクリーン像を変更することができる位置から成る。なぜなら、このことは、前段階においてのみ判明しており、インクジェット印刷機の制御計算機においては判明していないからである。付加的な２進値を設定することによって、インクジェット印刷機の制御計算機によって変更されてよいピクセルがマークされる。本発明の方法によって、このようにマークされたピクセルのインク滴サイズがどのように変更されてよいのかも予め定められている。たとえば、付加的な２進値はインクジェット印刷機の通常の印刷モードでは無視される。すなわち、この箇所において、通常の印刷モードでは、印刷機の制御計算機によって相応に、変更されたインク滴サイズが設定されることはない。しかし、トーンバリュー変動が発生すると、インクジェット印刷機は制御計算機によって、修正印刷モードにされ、この修正印刷モードにおいて制御計算機は、付加的な２進値がマルチビット網目スクリーン像において設定されている箇所で相応に、定められたインク滴サイズ値、すなわち相応するオフセットを設定する。オフセットが１である場合、たとえば付加的な２進値の箇所で、１ぶんだけ増大されたインク滴サイズが設定され、オフセットが２である場合、相応に、２ぶんだけ増大されたインク滴サイズが設定される。相応するインク滴サイズ値がどのくらいぶんだけ増大可能であるかは、どのくらい多くのインク滴サイズをこのインクジェット印刷機が作成することができるかによって制限される。インク滴サイズの低減が望まれている場合には、マルチビット網目スクリーンにおける付加的な２進値は、通常の印刷モードでは、相応に高いインク滴サイズ値に相当し、これに対して修正印刷モードでは、この値は相応に、予め定められたオフセットによって低減される。
【００１０】
この方法の有利な発展形態は、属する従属請求項ならびに図面が付属する説明から明らかである。
【００１１】
有利な発展形態では、マルチビット網目スクリーン像は、網目スクリーン化プロセスにおいて、マルチビットマスクの使用によって作成される。ここでマルチビットマスクはそれぞれ相応するトーンバリューに相応し、付加的な２進値は計算機によってマルチビットマスクに挿入される。これによって付加的な２進値が、網目スクリーン化プロセスにおいて、マルチビット網目スクリーン像に取り入れられる。このようなマルチビット網目スクリーン像を作成する手法は、事前に、全ての２５６の表現可能なトーンバリューに対してマスクを計算することである。これらのマスクの各々は、相応するトーンバリューに対するマルチビット網目スクリーンである。これらのマスクは全て同じ大きさを有しており、通常、オリジナルの印刷像よりも格段に小さい。たとえば、これらは１２８×１２８ピクセルのサイズであってよい。ここで網目スクリーンを画像に対して作成するために、これは、マスクと同じ大きさのタイルに分けられなければならない。設定されるべき各ピクセルに対してここで、画像内のこの箇所でトーンバリューに相当するマスクが選択される。次に自身のタイルに対して相対的なピクセルの位置が特定される。選択されたマスクにおけるこの位置での値がここで網目スクリーン内に受け継がれる。
【００１２】
別の有利な発展形態では、発生しているトーンバリュー変動を補整するために必要な、マルチビット網目スクリーン像における付加的な２進値はそれぞれ、増大されたまたは低減されたインク滴サイズに相応する。増大されたインク滴サイズによって、過度に低いトーンバリューの形態の相応するトーンバリュー変動を補うことができる。上述したように、この場合には、設定された付加的な２進値は修正印刷モードにおいて、増大されたインク滴サイズに相当する。過度に高いトーンバリューに関しては、トーンバリュー変動の発生時に、低減されたグレーレベルを用いて、低減されたインク滴サイズによって、これが無くなるように制御が行われる。
【００１３】
別の有利な発展形態では、増大されたインク滴サイズによるトーンバリュー変動の補整時に、マルチビット網目スクリーン像のピクセルは、自身のインク滴サイズにおいて、増大または保持だけされてよい。まだ網目スクリーン化されていない画像における色分解版の個々のグレーレベルは相互に関連している。たとえば、０から２５５のグレーレベル区分の場合には、規則は次のようなものである。すなわち、２１０のグレースケール値に増大されるべきグレースケール値２００の例では、相応に網目スクリーン化された画像において、網目スクリーン像におけるピクセルが自身のインク滴サイズにおいて増大されてよい、または保持されてよいことによってのみ変換が可能である。結果として、マルチビット網目スクリーン像における付加的な２進値の設定時に、ピクセルが自身のインク滴サイズにおいて低減されてはならない、またはそれどころか完全に消去されてはならない。このような規則が守られないと、アーチファクトが発生してしまう。
【００１４】
別の有利な発展形態では、低減されたインク滴サイズによるトーンバリュー変動の補整時に、マルチビット網目スクリーン像のピクセルは、自身のインク滴サイズにおいて、低減または保持だけされてよい。上述した規則は、低減されるグレーレベルでも有効である。たとえば、グレースケール値２１０が、２００のグレースケール値に低減されるべき場合、相応に後から格納されるマルチビット網目スクリーン像において、ピクセルは自身のインク滴サイズにおいて低減または保持だけされてよい。ピクセルが自身のインク滴サイズにおいて増大されてはならない。なぜなら、そうでない場合には同様にアーチファクトが発生してしまうからである。
【００１５】
別の有利な発展形態では、発生しているトーンバリュー変動は、インクジェット印刷機内のセンサによって求められ、インクジェット印刷機の制御計算機に伝えられる。本発明の方法の契機である、発生しているトーンバリュー変動は、印刷動作中に、印刷機において、センサによって求められる。使用されているセンサはここで通常の光学センサ、たとえばデジタルカメラを含んでいる。
【００１６】
別の有利な発展形態では、発生しているトーンバリュー変動の補整は、マルチビット網目スクリーン像における付加的な２進値によって、インクジェット印刷機の制御計算機における補整アルゴリズムによって実行される。インクジェット印刷機における、生じているマルチビット網目スクリーン像の操作は、ここで通常、インクジェット印刷機の制御計算機における補整アルゴリズムによって実行される。この補整アルゴリズムは、アクティブである場合に、マルチビット網目スクリーン像を、オリジナルのインク滴サイズに割り当てられていない、設定された付加的な２進値が存在するか否かに関して検査する。アルゴリズムがこのような２進値を発見した場合、このアルゴリズムは自身のコンフィギュレーションに即して、この付加的な２進値に対して、設定されるべきインク滴サイズに対する相応するオフセットを設定する。オフセットのレベル、およびこれがインク滴サイズの増大であるのかまたは低減であるのかは、インクジェット印刷機の使用者によって、または自動的に直接的に、付加的な２進値が設定された、前段階の計算機によって、アルゴリズムに伝えられる。
【００１７】
別の有利な発展形態では、マルチビット網目スクリーン像は、２ビット幅によって符号化されており、インクジェット印刷機は３つの異なるインク滴サイズを印刷することができる。目下の主に使用されているインクジェット印刷機は通常、３つの異なるインク滴サイズを表すことができる。この場合には網目スクリーンにおいて、存在しないインク滴または比較的小さいインク滴または比較的大きいインク滴が設定される。これらの３つの異なるインク滴をマルチビット網目スクリーン像において表すことを可能にするために、２ビット網目スクリーンが使用される。ここで１つのビット値は空いているままであり、これはここで、相応する付加的な２進値に使用されてよい。
【００１８】
別の有利な発展形態では、マルチビット網目スクリーン像は、少なくとも３ビットのビット幅によって符号化されており、インクジェット印刷機は３つの異なるインク滴サイズを印刷することができる。マルチビット網目スクリーン像においてピクセルあたり３つのビットを使用することによって、５つのビット値が空いているままである。これは、これによって幾つかの補整の手法を、情報として、インクジェット印刷機に伝えることが可能であるという利点を有している。したがってこれによってたとえば、インク滴サイズの低減も増大も、幾つかのバリエーションで、たとえば０から１、０から２および１から０、２から０のバリエーションで可能である。ビットマスクを使用する場合には当然ながら、アーチファクト形成を回避するために、ビットマスク相互の関連規則が守られなければならない。同様のことが、相応する網目スクリーン化規則に対するビットマスクを伴わないマルチビット網目スクリーン像の直接的な作成時にも当てはまる。
【００１９】
本発明それ自体ならびに本発明の構造的かつ／または機能的に有利な発展形態を以降で、属する図面を参照して、少なくとも１つの有利な実施例に基づいて詳細に説明する。図面では相応する要素にはそれぞれ同じ参照符号が付けられている。
【図面の簡単な説明】
【００２０】
【図１】インクジェット印刷機の概略的な構成
【図２】種々のグレーレベル値の関連するマルチビットマスク
【図３】設定された付加的な２進値による、変更されたグレーレベル値
【図４】本発明の方法の概略的なフロー
【発明を実施するための形態】
【００２１】
有利な実施形態の適用領域はインクジェット印刷機７である。このような印刷機７の基本的な構造の例は、印刷ヘッド５によって印刷が行われる印刷ユニット４に印刷基材２を供給するフィーダ１からデリバリ３までであり、図１に示されている。ここではこれは枚葉インクジェット印刷機７であり、これは制御計算機６によってコントロールされる。
【００２２】
オフセット印刷における印刷版では、ピクセルが設定される、または設定されない、というだけである。したがって、０−１００％の簡単な網目スクリーン化プロセスで足りる。ビットマップは情報、オンおよびオフだけを含んでいる。これとは異なり、インクジェットシステム、たとえば有利なインクジェット印刷機７は、異なるサイズのインク滴を作成することができる。これは、ビットマップを介して制御される。このビットマップは異なるグレースケール、すなわちトーンバリューを含んでいる。各グレースケールは、使用されているインク滴サイズに相応する。有利な実施形態では、これは、インクジェット印刷機において、０＝紙白１０、１＝比較的小さいインク滴８、２＝比較的大きいインク滴１１である。
【００２３】
図４に、有利な実施形態における本発明の方法の基本的な概略的なフローが示されている。ここでは、前段階計算機２３によって、マルチビット網目スクリーンへの印刷像２０の網目スクリーン化の後に、印刷されるべき網目スクリーン２１だけが伝送される代わりに、トーンバリュー変動の補整に関連する各ピクセル１８においてさらなる情報が符号化される。この付加的なデータは、網目スクリーンの修正を実行するために印刷機において使用される。このような情報は、たとえば、網目スクリーンが比較的暗いトーンバリュー１２または比較的明るいトーンバリュー９においてどのように見えるのかの示唆であってよい。
【００２４】
有利なインクジェット印刷機７は、２つの異なるサイズのインク滴を設定することができるので、これは本発明の方法に対して以下の結果を有している。網目スクリーン２１は２ビットで符号化されたグラフィックで伝送されなければならない。マルチビットマスク９、１２において値０は、相応に、存在しないインク滴（＝紙白）１０が設定されることを意味し、値１は、小さいインク滴８が設定されることを意味し、値２は、大きいインク滴１１が設定されることを意味する。
【００２５】
しかし付加的に、２ビットの場合には、さらに、値３（１８）も伝送可能である。すなわちこれを、付加的な情報のために使用することができる。たとえば値３（１８）はマルチビット網目スクリーン２１、２２に対する値１（８）と同じ意味を有していてよい。ここで、トーンバリューを低減させることが必要な場合には、この値３（１８）を、有利には除去されるべき小さいインク滴サイズとして解釈することができる。
【００２６】
比較的暗いトーンバリュー１２または比較的明るいトーンバリュー９に関する付加的な情報を含んでいる網目スクリーン２２を作成するために、マルチビットマスク９、１２に基づく網目スクリーン化プロセスでは、既にビットマスク９、１２が修正されてよい。このようなビットマスク９、１２は５×５マトリクスから成り、図２に示されている。左側のビットマスク９は、低いトーンバリューを表している。右側のビットマスク１２では、僅かに高いトーンバリューが表されている。ビットマスク９、１２は、相互に関連しており、これは、低いトーンバリューから比較的高いトーンバリューに達するために、ピクセル１３、１４、１５、１６が暗くだけなってよいことを意味している。高いトーンバリューから比較的低いトーンバリューに達するために、同様のことが、これとは逆に当てはまる。マルチビット網目スクリーン２１、２２における、比較的暗いピクセルは、インクジェット印刷機７の結果においては、比較的大きいインク滴を意味する。
【００２７】
ここで特定のトーンバリューに対してビットマスク９、１２を修正するために、これを、所望の比較的明るいもしくは比較的暗いトーンバリューに対するビットマスク９、１２と比較する。したがって、この比較の際に異なっているピクセル８、１０、１１は、ビットマスク１９へ符号化される。オリジナルの網目スクリーン化過程ではここで、付加的なコストの増大無く、このような付加的な情報が自動的にマルチビット網目スクリーン２２に組み込まれる。
【００２８】
図３では、このような過程に対する例が、２つのマルチビットマスク９、１９に基づいて示されている。ここでも、サイズ５×５ピクセルのビットマスク９、１９を伴う網目スクリーンシステムが使用される。これらのピクセルは２ビットで符号化されている。白色のピクセル１０は値０に相当し、明るいグレーのピクセル８は値１に相当し、暗いグレーのピクセル１１は値２に相当し、黒いピクセル１８は値３に相当する。オリジナルのビットマスク９、１２は、値３（１８）を使用しない。したがってこれは付加的な情報に対して使用されてよい。この例では、左側のビットマスク９は、図３において、発明に相応に修正される。付加的な情報は、過度に低いトーンバリューの形態のトーンバリュー変動を補整するために、比較的暗いトーンバリューを表しているはずである。黒いピクセル１８によって明るいグレーのピクセル８が表され、これは付加的に付け加えられている。すなわち、インク滴サイズに相応しない黒いピクセル１８は、明るいグレーのピクセル８として解釈され、次に相応に、値１を備えるインク滴サイズで印刷される。結果として、図３の右側の、修正されたマルチビットマスク１９が生じる。この修正されたマルチビットマスク１９によって次に、網目スクリーン化プロセスにおいて、前段階計算機２３によって、マルチビット網目スクリーン像２２が作成される。これは同様に、値３を備える付加的なピクセル１８を含んでいる。このマルチビット網目スクリーン像２２は、次に、インクジェット印刷機７の制御計算機６に送られ、インクジェット印刷機によって印刷される。通常の印刷モードでは、この付加的なピクセル１８は無視される。すなわちこれは値０に相当し、印刷されない。これは、結果として、修正されていないビットマスク９、１２の出力トーンバリューになる。しかし、過度に低いトーンバリューの形態のトーンバリュー変動が発生すると、修正アルゴリズムが起動され、これは、マルチビット網目スクリーン像２２において、存在する全ての、値３を備える付加的なピクセル１８に対して、インクジェット印刷機７によって印刷可能な値１を設定する。すなわち、付け加えられた、値３を備える付加的なピクセル１８によって、印刷されたマルチビット網目スクリーン像１７において、値３を有している箇所で、修正されたビットマスク１９に相応する比較的暗いトーンバリューが印刷される。これによって、トーンバリュー変動が、修正アルゴリズムによって合理的に、かつできるだけアーチファクトが無いように補整される。これは、どこで、かつどのピクセルが変更されてよいのかに関して、要求と合致しているので、可能である。なぜならば、修正されたビットマスク１９もしくは修正されたマルチビット網目スクリーン像２２によって、網目スクリーン化プロセスのこの必要な情報がインクジェット印刷機７へ伝送されるからである。
【００２９】
別の有利な発展形態では、ピクセル毎に、マルチビットマスクに３ビットが伝送される。したがって全体で８つの状態が使用可能である。さらに２つの異なるインク滴サイズを印刷することができるインクジェット印刷機７では、結果として、値０＝紙白、１＝比較的小さいインク滴、２＝比較的大きいインク滴が生じ、これによって、使用されない５つの状態を有するだろう。このような５つの状態によって、ここで、さらなる付加的な情報を、異なる補整方向に対して、マルチビット網目スクリーン２１に組み込むことができる。
【００３０】
マルチビット網目スクリーン像２２、１７におけるビット値に関するピクセルの可能な符号化は、以下のようであってよい。
【００３１】
０  存在しないインク滴
１  比較的小さいインク滴
２  比較的大きいインク滴
３  存在しないインク滴が、正の補整によって、有利には、比較的小さいインク滴として設定される
４  比較的小さいインク滴が、正の補整によって、有利には、比較的大きいインク滴として設定される
５  比較的小さいインク滴が、負の補整によって、有利には、存在しないインク滴として設定される
６  比較的大きいインク滴が、負の補整によって、有利には、比較的小さいインクとして設定される
７  無視される（＝存在しないインク滴）
【００３２】
４ビット以上の、ピクセルあたりのさらに大きいビット幅によって、さらに細かい段階付けを導入することも可能であろう。たとえばさらに、強い補整と弱い補整とを区別することができる。弱い補整の場合には、このためにマークされた値のみが使用されるだろう。これとは異なり強い補整の場合には、強い補整および弱い補整に対してマークされた全てのピクセルが使用されるだろう。
【符号の説明】
【００３３】
１    フィーダ
２    印刷基材
３    デリバリ
４    インクジェット印刷ユニット
５    インクジェット印刷ヘッド
６    インクジェット印刷機の制御計算機
７    インクジェット印刷機
８    ビット値１を備える、マルチビットマスクにおけるピクセル
９    低いトーンバリューを備えるマルチビットマスク
１０  ビット値０を備える、マルチビットマスクにおけるピクセル
１１  ビット値２を備える、マルチビットマスクにおけるピクセル
１２  比較的高いトーンバリューを備えるマルチビットマスク
１３，１６  ビット値１を備える、マルチビットマスクにおける付加されたピクセル
１４，１５  ビット値２を備える、マルチビットマスクにおける付加されたピクセル
１７  トーンバリュー変動を有する、印刷されたマルチビット網目スクリーン像
１８  ビット値３を備える、付加情報を備えた付加されたピクセル
１９  付加情報を備えたマルチビットマスク
２０  印刷像データ
２１  マルチビット網目スクリーン像
２２  付加情報を備えたマルチビット網目スクリーン像
２３  前段階計算機
【図１】
2018171924.tif 000003
【図２】
2018171924.tif 000004
【図３】
2018171924.tif 000005
【図４】
2018171924.tif 000006
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
前段階計算機（２３）による、インクジェット印刷機（７）のインクジェット印刷プロセスにおける、発生しているトーンバリュー変動を補整する方法であって、前記前段階計算機（２３）上で、前記印刷プロセスの前段階における網目スクリーン化プロセスの間、印刷像データ（２０）から、ピクセル（８，１０，１１）から成るマルチビット網目スクリーン像（２１，２２）が作成され、前記マルチビット網目スクリーン像は、次に、前記インクジェット印刷機（７）の制御計算機（６）に送られ、前記インクジェット印刷機（７）によって印刷され、
前記マルチビット網目スクリーン像（２１，２２）の符号化された各２進値が、前記インクジェット印刷機（７）によって作成可能なインク滴サイズに相応する方法において、
インク滴サイズに相応しない、付加的な２進値（１８）が、前記前段階計算機（２３）によって、変更されたインク滴サイズによって、発生しているトーンバリュー変動が補整されるべきピクセル位置で、前記マルチビット網目スクリーン像（２１）に挿入され、
通常の印刷モードでは、前記付加的な２進値（１８）は、前記インクジェット印刷機（７）によって無視され、これに対して修正印刷モードでは、前記付加的な２進値（１８）は、前記変更されたインク滴サイズに割り当てられる、
方法。
【請求項２】
前記マルチビット網目スクリーン像（２１，２２）は、前記網目スクリーン化プロセスにおいて、マルチビットマスク（９，１２，１９）を使用することによって作成され、
前記マルチビットマスク（９，１２，１９）は、それぞれ相応するトーンバリューに相応し、前記付加的な２進値（１８）は、前記制御計算機（６）によって前記マルチビットマスク（９，１２，１９）に挿入され、これによって前記付加的な２進値（１８）が、前記網目スクリーン化プロセスにおいて前記マルチビット網目スクリーン像（２１，２２）に取り入れられる、
請求項１記載の方法。
【請求項３】
発生しているトーンバリュー変動を補整するために必要な、前記マルチビット網目スクリーン像（２１，２２）における前記付加的な２進値（１８）は、それぞれ、増大されたまたは低減されたインク滴サイズに相応する、
請求項１または２記載の方法。
【請求項４】
増大されたインク滴サイズによるトーンバリュー変動の補整時に、前記マルチビット網目スクリーン像（２１，２２）の前記ピクセル（８，１０，１１）は、自身のインク滴サイズにおいて、増大または保持だけされてよい、
請求項３記載の方法。
【請求項５】
低減されたインク滴サイズによるトーンバリュー変動の補整時に、前記マルチビット網目スクリーン像（２１，２２）の前記ピクセル（８，１０，１１）は、自身のインク滴サイズにおいて、低減または保持だけされてよい、
請求項３または４記載の方法。
【請求項６】
発生しているトーンバリュー変動は、前記インクジェット印刷機（７）内のセンサによって求められ、前記インクジェット印刷機（７）の前記制御計算機（６）に伝えられる、
請求項１から５までのいずれか１項記載の方法。
【請求項７】
発生しているトーンバリュー変動の前記補整は、前記マルチビット網目スクリーン像（２１，２２）における前記付加的な２進値（１８）によって、前記インクジェット印刷機（７）の前記制御計算機（６）における補整アルゴリズムによって実行される、
請求項１から６までのいずれか１項記載の方法。
【請求項８】
前記マルチビット網目スクリーン像（２１，２２）は、２ビット幅によって符号化されており、前記インクジェット印刷機（７）は、３つの異なるインク滴サイズを印刷することができる、
請求項１から７までのいずれか１項記載の方法。
【請求項９】
前記マルチビット網目スクリーン像（２１，２２）は、少なくとも３ビットのビット幅によって符号化されており、前記インクジェット印刷機（７）は、３つの異なるインク滴サイズを印刷することができる、
請求項１から７までのいずれか１項記載の方法。
【外国語明細書】
2018171924.tif 000007
2018171924.tif 000008
2018171924.tif 000009
2018171924.tif 000010
2018171924.tif 000011
2018171924.tif 000012
2018171924.tif 000013
2018171924.tif 000014
2018171924.tif 000015
2018171924.tif 000016
2018171924.tif 000017
2018171924.tif 000018
2018171924.tif 000019
2018171924.tif 000020
2018171924.tif 000021
2018171924.tif 000022
2018171924.tif 000023
2018171924.tif 000024
2018171924.tif 000025
2018171924.tif 000026